(57)【要約】【課題】キー操作を必要とせずに表示器の表示画面の天地の向きを容易に制御することができる。【解決手段】開閉状態検出回路１７は、液晶表示器２０を外側にして折り畳んだ状態であるか否かを検出する。傾き状態検出回路１８ａは、液晶表示器２０を外側にして折り畳んだ状態で液晶表示器２０の表示画面の対向する２辺の傾き状態の変化を検出する。制御部１３ａは傾き状態検出回路１８ａの検出結果に基づいて、表示画面の対向する２辺のうちの低い位置の方向から見たときの、液晶表示器２０の画像表示の天地が正しく設定された状態になるように、表示制御回路１９を介して画像表示の天地の向きの制御を行う。【選択図】      図１
2005277452.tif 000002
【特許請求の範囲】
【請求項１】
表示器を有する携帯型電子機器において、前記表示器の傾き状態を検出する傾き状態検出手段を有し、前記傾き状態検出手段の検出結果に基づいて前記第１の表示器の画像表示における天地の向きの制御を行うことを特徴とする携帯型電子機器。
【請求項２】
第１の筐体と、第１の表示器を有する第２の筐体とを接合して構成され、前記第２の筐体が前記第１の筐体に対して開閉可能、かつ前記第２の筐体の中心線を回転軸として第１の筐体に対して回動自在に結合される携帯型電子機器において、前記第１の表示器を外側にして折り畳まれた状態であるか否かを検出する開閉状態検出手段と、前記第１の表示器を外側にして折り畳まれた状態で前記第１の表示器の表示画面の対向する２辺の傾き状態を検出する傾き状態検出手段とを有し、前記開閉状態検出手段と前記傾き状態検出手段の検出結果に基づいて前記第１の表示器の画像表示における天地の向きの制御を行うことを特徴とする携帯型電子機器。
【請求項３】
請求項２記載の携帯型電子機器において、前記天地の向きの制御は、天地の向きを１８０度切り替える制御であることを特徴とする携帯型電子機器。
【請求項４】
第１の筐体と、第１の表示器を有する第２の筐体と、前記第１の筐体及び前記第２の筐体をそれぞれの一端で相互に結合する可動接合部材とを有し、前記可動接合部材により前記第２の筐体が前記第１の筐体に対して開閉可能、かつ前記第２の筐体の中心線を回転軸として第１の筐体に対して回動自在に結合され、前記第１の表示器を外側にして折り畳んだ状態で前記第１の表示器の画像表示の天地を切り替える携帯型電子機器において、前記第１の表示器を外側にして折り畳んだ状態であるか否かを検出する開閉状態検出手段と、前記第１の表示器を外側にして折り畳んだ状態で前記可動接合部材側の一端と前記可動接合部材側の反対側の一端との傾き状態を検出する第１の傾き状態検出手段とを有し、前記第１の傾き状態検出手段の検出結果に基づいて、前記可動接合部材側の一端と前記可動接合部材側の反対側の一端とのうちの低い位置の方から見たときの、前記第１の表示器の画像表示の天地が正しく設定された状態になるように前記画像表示における天地の向きの第１の制御を行うことを特徴とする携帯型電子機器。
【請求項５】
請求項４記載の携帯型電子機器において、前記天地の向きの第１の制御は、天地の向きを０度方向及び１８０度方向に切り替える制御であることを特徴とする携帯型電子機器。
【請求項６】
第１の筐体と、第１の表示器を有する第２の筐体と、前記第１の筐体及び前記第２の筐体をそれぞれの一端で相互に結合する可動接合部材とを有し、前記可動接合部材により前記第２の筐体が前記第１の筐体に対して開閉可能、かつ前記第２の筐体の中心線を回転軸として第１の筐体に対して回動自在に結合され、前記第１の表示器を外側にして折り畳んだ状態で前記第１の表示器の画像表示の天地を切り替える携帯型電子機器において、前記第１の表示器を外側にして折り畳んだ状態であるか否かを検出する開閉状態検出手段と、前記第１の表示器を外側にして折り畳んだ状態で前記可動接合部材側の一端と前記可動接合部材側の反対側の一端とで挟まれた２辺の傾き状態を検出する第２の傾き状態検出手段とを有し、前記第２の傾き状態検出手段の検出結果に基づいて、前記２辺のうちの低い位置の方向から見たときに前記第１の表示器の画像表示の天地が正しく設定された状態になるように前記画像表示の天地の向きの第２の制御を行うことを特徴とする携帯型電子機器。
【請求項７】
請求項６記載の携帯型電子機器において、前記天地の向きの第２の制御は、天地の向きを９０度方向及び２７０度方向に切り替える制御であることを特徴とする携帯型電子機器。
【請求項８】
請求項４記載の携帯型電子機器において、前記第１の表示器を外側にして折り畳んだ状態で前記可動接合部材側の一端と前記可動接合部材側の反対側の一端とで挟まれた２辺の傾き状態を検出する第２の傾き状態検出手段を有し、前記第２の傾き状態検出手段の検出結果に基づいて、前記２辺のうちの低い位置の方向から見たときに前記第１の表示器の画像表示の天地が正しく設定された状態になるように前記画像表示における天地の向きの第２の制御を行うことを特徴とする携帯型電子機器。
【請求項９】
請求項８記載の携帯型電子機器において、前記天地の向きの第１の制御は、天地の向きを０度方向及び１８０度方向に切り替え、前記天地の向きの第２の制御は、天地の向きを９０度方向及び２７０度方向に切り替える制御であることを特徴とする携帯型電子機器。
【請求項１０】
請求項２，３，４，５，６または７記載の携帯型電子機器において、前記第２の筐体の、前記第１の表示器の裏面側に第２の表示器を有し、前記第２の表示器を外側にして折り畳まれた状態を前記開閉状態検出手段が検出し、前記傾き状態検出手段の検出結果に基づいて前記第２の表示器の画像表示における天地の向きの制御を行うことを特徴とする携帯型電子機器。
【請求項１１】
請求項２，３，４，５，６，７，８，９または１０記載の携帯型電子機器において、前記傾き状態検出手段の検出結果を有効とするか無効とするかの選択を予め設定する選択設定手段を有し、前記選択設定手段で有効性が設定されたときのみ前記画像表示における天地の向きの制御を行うことを特徴とする携帯型電子機器。
【請求項１２】
請求項２，３，４，５，６，７，８，９，１０または１１記載の携帯型電子機器において、前記開閉状態検出手段は、磁気センサーであることを特徴とする携帯型電子機器。
【請求項１３】
請求項１，２，３，４，５，６，７，８，９，１０，１１または１２記載の携帯型電子機器において、前記傾き状態検出手段としては、加速度センサーを用いることを特徴とする携帯型電子機器。
【請求項１４】
請求項１，２，３，４，５，６，７，８，９，１０，１１，１２または１３記載の携帯型電子機器において、前記携帯型電子機器は折り畳み型携帯電話機であることを特徴とする携帯型電子機器。
【請求項１５】
第１の筐体の一端と第１の表示器を有する第２の筐体の一端とが、開閉可能に接合され、かつ前記第１の筐体から前記第２の筐体を開いたとき、前記第１の筐体と前記第２の筐体との接合面に垂直な回動軸を中心に前記第１の筐体に対して回動自在に結合され、前記第１の表示器を外側にして折り畳んだ状態で前記第１の表示器の画像表示の天地を切り替える携帯型電子機器の表示切り替え方法において、前記第１の表示器を外側にして折り畳んだ状態を検出したときに、前記第２の筐体の対向する２辺の傾き状態の検出結果を有効として扱う設定になっているか否かの判定を行い、前記判定が前記検出結果を有効として扱う設定になっていることを示すときに前記第２の筐体の対向する２辺の傾き状態の検出動作を実行し、前記検出動作の実行で得られた傾き状態の検出結果が、予め定められた時間を経過した後で得られた傾き状態の検出結果と同じ場合に前記傾き状態の検出結果を有効な検出結果とし、前記検出結果に基づいて、前記２辺のうちの低い位置にある方から見たときの、前記第１の表示器の画像表示の天地を正しく設定するように前記画像表示における天地の向きの制御を行うことを特徴とする携帯型電子機器の表示切り替え方法。
【発明の詳細な説明】
【技術分野】
【０００１】
本発明は携帯型電子機器及びその表示切り替え方法に関し、特に表示面を内側だけではなく外側にして折り畳むことが可能な携帯型電子機器及びその表示切り替え方法に関する。
【背景技術】
【０００２】
近年、携帯に便利な携帯型電子機器が広く普及している。その折り畳み方法も単に主表示面を内側にして折り畳むだけでなく、主表示面を外側にして折り畳むことができる携帯型電子機器が開発されている。特開２００３−１７４４９５号公報にはこのような折り畳み型携帯情報端末に関する技術が記載されている。この折り畳み型携帯情報端末は、主表示面を外側にして折り畳むことができるだけでなく、主表示面を外側にして折り畳まれた状態で主表示面を構成する表示器の表示を読み易い向きに切り替えることができるように構成されている。
【０００３】
例えば、主表示面を有する上側ユニットと操作部を有する下側ユニットとを、主表示面を外側にして閉じた状態で、主表示面における表示部の表示内容の向きを下側ユニットの向きに適合した向きに変更することができるように構成されている。
【０００４】
しかし、特開２００３−１７４４９５号公報に記載の上記技術は、表示部の表示内容の向きを下側ユニットの向きに適合した向きに変更するためには、その都度、表示制御部からのキー操作を行わなければならなかった。また、夜間など手元が暗いときにキー操作を行うことは容易ではなかった。これらの不便さを解決するために、表示制御部からのキー操作を行わなくても表示内容の向きを変更できることが望まれていた。
【０００５】
【特許文献１】特開２００３−１７４４９５号公報  （第１頁―第３頁、図６）
【発明の開示】
【発明が解決しようとする課題】
【０００６】
上述した従来の折り畳み型携帯電話機は、表示部を外側にして折り畳んだ状態では表示部の表示内容の向きを読み易い向きに変えることができるように構成されている。例えば、表示部を外側にして折り畳んだ状態で表示部の表示内容の向きを逆転させることができるように構成されている。このような構成はユーザーが表示部を外側にして折り畳んだときに、そのまま表示内容を見る場合には大変便利である。
【０００７】
しかし、上記のように、表示部を外側にして折り畳んだとき、表示部の表示内容の向きを読み易い向きに変えるようにするためには、所定のキー操作が必要であるという欠点を有していた。
【０００８】
また、近年、ＩＴ（Ｉｎｆｏｒｍａｔｉｏｎ  Ｔｅｃｈｎｏｌｏｇｙ、インフォメーション・テクノロジイ）化が進み、ＩＴ化の進展に対応して様々な表示を行うことができる折り畳み型携帯電話機も普及してきている。このような折り畳み型携帯電話機では、縦長の表示画面よりも横長の表示画面にして画像表示を見られるように表示画面の天地を設定する方が便利な場合がある。
【０００９】
本発明の目的は、キー操作を必要とせずに表示器の表示画面の天地の向きを容易に制御することができる携帯型電子機器及びその表示切り替え方法を提供することにある。
【課題を解決するための手段】
【００１０】
第１の発明の携帯型電子機器は、表示器を有する携帯型電子機器において、前記表示器の傾き状態を検出する傾き状態検出手段を有し、前記傾き状態検出手段の検出結果に基づいて前記第１の表示器の画像表示における天地の向きの制御を行うことを特徴として構成される。
【００１１】
第２の発明の携帯型電子機器は、第１の筐体と、第１の表示器を有する第２の筐体とを接合して構成され、前記第２の筐体が前記第１の筐体に対して開閉可能、かつ前記第２の筐体の中心線を回転軸として第１の筐体に対して回動自在に結合される携帯型電子機器において、前記第１の表示器を外側にして折り畳まれた状態であるか否かを検出する開閉状態検出手段と、前記第１の表示器を外側にして折り畳まれた状態で前記第１の表示器の表示画面の対向する２辺の傾き状態を検出する傾き状態検出手段とを有し、前記開閉状態検出手段と前記傾き状態検出手段の検出結果に基づいて前記第１の表示器の画像表示における天地の向きの制御を行うことを特徴として構成される。
【００１２】
また、第３の発明の携帯型電子機器は、第２の発明の携帯型電子機器において、前記天地の向きの制御は、天地の向きを１８０度切り替える制御であることを特徴として構成される。
【００１３】
また、第４の発明の携帯型電子機器は、第１の筐体と、第１の表示器を有する第２の筐体と、前記第１の筐体及び前記第２の筐体をそれぞれの一端で相互に結合する可動接合部材とを有し、前記可動接合部材により前記第２の筐体が前記第１の筐体に対して開閉可能、かつ前記第２の筐体の中心線を回転軸として第１の筐体に対して回動自在に結合され、前記第１の表示器を外側にして折り畳んだ状態で前記第１の表示器の画像表示の天地を切り替える携帯型電子機器において、前記第１の表示器を外側にして折り畳んだ状態であるか否かを検出する開閉状態検出手段と、前記第１の表示器を外側にして折り畳んだ状態で前記可動接合部材側の一端と前記可動接合部材側の反対側の一端との傾き状態を検出する第１の傾き状態検出手段とを有し、前記第１の傾き状態検出手段の検出結果に基づいて、前記可動接合部材側の一端と前記可動接合部材側の反対側の一端とのうちの低い位置の方から見たときの、前記第１の表示器の画像表示の天地が正しく設定された状態になるように前記画像表示における天地の向きの第１の制御を行うことを特徴として構成される。
【００１４】
また、第５の発明の携帯型電子機器は、第４の発明の携帯型電子機器において、前記天地の向きの第１の制御は、天地の向きを０度方向及び１８０度方向に切り替える制御であることを特徴として構成される。
【００１５】
また、第６の発明の携帯型電子機器は、第１の筐体と、第１の表示器を有する第２の筐体と、前記第１の筐体及び前記第２の筐体をそれぞれの一端で相互に結合する可動接合部材とを有し、前記可動接合部材により前記第２の筐体が前記第１の筐体に対して開閉可能、かつ前記第２の筐体の中心線を回転軸として第１の筐体に対して回動自在に結合され、前記第１の表示器を外側にして折り畳んだ状態で前記第１の表示器の画像表示の天地を切り替える携帯型電子機器において、前記第１の表示器を外側にして折り畳んだ状態であるか否かを検出する開閉状態検出手段と、前記第１の表示器を外側にして折り畳んだ状態で前記可動接合部材側の一端と前記可動接合部材側の反対側の一端とで挟まれた２辺の傾き状態を検出する第２の傾き状態検出手段とを有し、前記第２の傾き状態検出手段の検出結果に基づいて、前記２辺のうちの低い位置の方向から見たときに前記第１の表示器の画像表示の天地が正しく設定された状態になるように前記画像表示の天地の向きの第２の制御を行うことを特徴として構成される。
【００１６】
また、第７の発明の携帯型電子機器は、第６の発明の携帯型電子機器において、前記天地の向きの第２の制御は、天地の向きを９０度方向及び２７０度方向に切り替える制御であることを特徴として構成される。
【００１７】
また、第８の発明の携帯型電子機器は、第４の発明の携帯型電子機器において、前記第１の表示器を外側にして折り畳んだ状態で前記可動接合部材側の一端と前記可動接合部材側の反対側の一端とで挟まれた２辺の傾き状態を検出する第２の傾き状態検出手段を有し、前記第２の傾き状態検出手段の検出結果に基づいて、前記２辺のうちの低い位置の方向から見たときに前記第１の表示器の画像表示の天地が正しく設定された状態になるように前記画像表示における天地の向きの第２の制御を行うことを特徴として構成される。
【００１８】
また、第９の発明の携帯型電子機器は、第８の発明の携帯型電子機器において、前記天地の向きの第１の制御は、天地の向きを０度方向及び１８０度方向に切り替え、前記天地の向きの第２の制御は、天地の向きを９０度方向及び２７０度方向に切り替える制御であることを特徴として構成される。
【００１９】
また、第１０の発明の携帯型電子機器は、第２，３，４，５，６または７の発明の携帯型電子機器において、前記第２の筐体の、前記第１の表示器の裏面側に第２の表示器を有し、前記第２の表示器を外側にして折り畳まれた状態を前記開閉状態検出手段が検出し、前記傾き状態検出手段の検出結果に基づいて前記第２の表示器の画像表示における天地の向きの制御を行うことを特徴として構成される。
【００２０】
また、第１１の発明の携帯型電子機器は、第２，３，４，５，６，７，８，９または１０の発明の携帯型電子機器において、前記傾き状態検出手段の検出結果を有効とするか無効とするかの選択を予め設定する選択設定手段を有し、前記選択設定手段で有効性が設定されたときのみ前記画像表示における天地の向きの制御を行うことを特徴として構成される。
【００２１】
また、第１２の発明の携帯型電子機器は、第２，３，４，５，６，７，８，９，１０または１１の発明の携帯型電子機器において、前記開閉状態検出手段は、磁気センサーであることを特徴として構成される。
【００２２】
また、第１３の発明の携帯型電子機器は、第１，２，３，４，５，６，７，８，９，１０，１１または１２の発明の携帯型電子機器において、前記傾き状態検出手段としては、加速度センサーを用いることを特徴として構成される。
【００２３】
また、第１４の発明の携帯型電子機器は、第１，２，３，４，５，６，７，８，９，１０，１１，１２または１３の発明の携帯型電子機器において、前記携帯型電子機器は折り畳み型携帯電話機であることを特徴として構成される。
【００２４】
また、第１５の発明の携帯型電子機器の表示切り替え方法は、第１の筐体の一端と第１の表示器を有する第２の筐体の一端とが、開閉可能に接合され、かつ前記第１の筐体から前記第２の筐体を開いたとき、前記第１の筐体と前記第２の筐体との接合面に垂直な回動軸を中心に前記第１の筐体に対して回動自在に結合され、前記第１の表示器を外側にして折り畳んだ状態で前記第１の表示器の画像表示の天地を切り替える携帯型電子機器の表示切り替え方法において、前記第１の表示器を外側にして折り畳んだ状態を検出したときに、前記第２の筐体の対向する２辺の傾き状態の検出結果を有効として扱う設定になっているか否かの判定を行い、前記判定が前記検出結果を有効として扱う設定になっていることを示すときに前記第２の筐体の対向する２辺の傾き状態の検出動作を実行し、前記検出動作の実行で得られた傾き状態の検出結果が、予め定められた時間を経過した後で得られた傾き状態の検出結果と同じ場合に前記傾き状態の検出結果を有効な検出結果とし、前記検出結果に基づいて、前記２辺のうちの低い位置にある方から見たときの、前記第１の表示器の画像表示の天地を正しく設定するように前記画像表示における天地の向きの制御を行うことを特徴とする。
【発明の効果】
【００２５】
以上説明したように、本発明の携帯型電子機器及びその表示切り替え方法は、表示器を外側にして折り畳まれた状態を検出し、さらに携帯型電子機器の傾き状態の変化が検出されたとき、表示器の表示画面の天地の向きを携帯型電子機器の傾き状態に応じて制御するように構成したことにより、キー操作を必要とせずに表示器の表示画面の天地の向きを容易に制御することができるという効果を有している。
【発明を実施するための最良の形態】
【００２６】
本発明による携帯型電子機器及びその表示切り替え方法は、次のような構成の携帯型電子機器に適用される。すなわち、第１の筐体と、少なくとも一つの表示器を有する第２の筐体と、第１の筐体及び第２の筐体をそれぞれの一端で相互に接合する可動接合部材とを有している。さらに、上記可動接合部材によって、上記第２の筐体が第１の筐体に対して開閉可能で、かつ第２の筐体の中心線を回転軸として第１の筐体に対して回動自在であるように接合される携帯型電子機器である。
【００２７】
本発明による携帯型電子機器は、上記構成の携帯型電子機器が、さらに、表示器を外側にして折り畳んだ状態であるか否かを検出する開閉状態検出手段を有している。また、表示器を外側にして折り畳んだ状態で、表示器の、表示画面を構成する、対向する２辺の傾き状態の変化を検出する傾き状態検出手段を有している。そして、傾き状態検出手段の検出結果に基づいて、低い位置の方向から見たときに上記表示器の画像表示の天地が正しく設定された状態になるようにするため、表示器の画像表示における天地の向きの制御を行うことができるよう構成される。
【００２８】
本発明による携帯型電子機器は、表示器を外側にして折り畳んだ状態でユーザーが携帯型電子機器の傾きの状態を変えることにより、ユーザーの意図する向きに、携帯型電子機器の表示器の表示画面における天地の向きを容易に制御することができる。
【００２９】
また、携帯型電子機器の縦方向と横方向の２方向、あるいは長手方向と幅方向の２方向でそれぞれ方向別に傾き状態の検出を行うように構成することもできる。この場合は、０度，９０度，１８０度，２７０度の４方向に表示画面の天地の向きを切り替える制御を行うことができる。
【実施例１】
【００３０】
次に、本発明の第１の実施例について図面を参照して説明する。
【００３１】
本発明の携帯型電子機器及びその表示切り替え方法における実施例として、ここでは折り畳み型携帯電話機の場合について説明する。
【００３２】
図１は、本発明の第１の実施例における携帯型電子機器の具体例としての折り畳み型携帯電話機の回路構成を示すブロック図である。
【００３３】
図１に示す折り畳み型携帯電話機は、アンテナ１１、無線回路１２、通話回路２１、液晶表示器２０及び制御回路１３ａを有する。また、折り畳み型携帯電話機は、上記の他にキーマトリックス１４、ＲＡＭ（Ｒａｎｄｏｍ  Ａｃｃｅｓｓ  Ｍｅｍｏｒｙ、ランダム・アクセス・メモリ）１５、ＲＯＭ（Ｒｅａｄ  Ｏｎｌｙ  Ｍｅｍｏｒｙ、リード・オンリイ・メモリ）１６を有する。また、折り畳み型携帯電話機は、開閉状態検出回路１７、傾き状態検出回路１８ａ及び表示制御回路１９の回路を有する。
【００３４】
なお、アンテナ１１は移動無線信号の送受信を行う。そして、無線回路１２は、音声信号やデータ信号を移動無線信号に変調して送信し、また受信した移動無線信号を復調して音声信号やデータ信号を出力する。また、通話回路２１はスピーカ回路（図示せず）及びマイク回路（図示せず）等を有し、これらの回路は通話時に使用される。また、液晶表示器２０は通話時あるいはデータ送受信時等において、各種のデータや情報等を表示するために用いられる。
【００３５】
キーマトリックス１４は、通話時の発着呼の処理を行うためのキー操作や、各種の設定を行うためのキー操作のために設けられるキースイッチによって構成される。これらのキースイッチは、「０」から〜「９」までのテンキー、「＊」及び「＃」等の記号キー、「開始」、「終了」及び「リダイヤル」等の単一の機能キーを含む、各種の操作入力キーに割り当てられている。
【００３６】
また、制御回路１３ａに接続されたＲＡＭ１５には、ユーザーから入力される情報が格納される。また、ＲＯＭ１６には折り畳み型携帯電話機の受信電界強度の表示や電池残量表示などの各種の表示を行うために用いられる各種の画像データ等が格納される。
【００３７】
また、開閉状態検出回路１７は、折り畳み型携帯電話機の開閉状態を検出し開閉状態検出信号を制御回路１３ａに出力する。
【００３８】
また、傾き状態検出回路１８ａは、折り畳み型携帯電話機の予め設定された特定方向における対向する２辺の、水平面に対する傾き状態を検出する。傾き状態検出回路１８ａは、傾き状態の検出結果を、折り畳み型携帯電話機の特定方向の両端の部位の高低を示すデータとして表し、制御回路１３ａには傾き状態検出信号として出力する。また、傾き状態検出回路１８ａは、折り畳み型携帯電話機の特定方向の両端の部位の高低が前回の検出結果と逆転しているか否かを調べて、この情報も上記高低を示すデータとともに、制御回路１３ａに出力する。すなわち、傾き状態検出回路１８ａは、液晶表示器２０を外側にして折り畳んだ状態で、液晶表示器２０の表示画面の対向する２辺のいずれが低い位置にあるかを検出することができるとともに、傾きの方向が変わったことを検出することができる。なお、傾き状態検出回路１８ａとしては、例えば加速度センサーを用いて構成することができる。
【００３９】
上記で説明した、「折り畳み型携帯電話機の予め設定された特定方向」としては、例えば、後述するように、折り畳まれた折り畳み型携帯電話機の長手方向、あるいは幅方向の２方向が挙げられる。
【００４０】
表示制御回路１９は、制御回路１３ａの制御を受けて上記の画像データ等を表示器２０に表示する。また、表示制御回路１９は、傾き状態検出回路１８ａの検出結果に基づいて、折り畳まれた折り畳み型携帯電話機の傾きの低い方から見たときの、液晶表示器２０における画像表示の天地が正しく設定された状態になるように画像表示の向きの制御を行う。
【００４１】
制御回路１３ａは、無線回路１２からの通話信号やデータ信号等の処理を行うとともに、無線回路１２を介して送信される通話信号やデータ信号等を無線回路１２へ出力する。
【００４２】
また、開閉状態検出回路１７は、液晶表示器２０が外側に向けられて閉じられた状態であることを検出した場合、このことを制御回路１３ａに通知する。制御回路１３ａは液晶表示器２０が外側に向けられて閉じられた状態であること示す情報を、表示制御回路１９を介して液晶表示器２０に表示する。
【００４３】
図２は、図１の折り畳み型携帯電話機が折り畳まれて長手方向に傾けられた状態を表す側面図とその状態での画像表示の向きの状態を示す模式図である。
【００４４】
図２（ａ）に示す折り畳み型携帯電話機の傾きと、図２（ｂ）に示す折り畳み型携帯電話機の傾きとは、傾きの向きが互いに逆転した関係になっている。
【００４５】
図２（ａ）の下部の図には、可動接合部材３２を左側にして第１の筐体３０と第２の筐体３１とが折り畳まれて閉じた状態にある折り畳み型携帯電話機の側面図が示されている。
【００４６】
図２（ａ）に示すように、第１の筐体３０と、液晶表示器２０を有する第２の筐体とは、それぞれの一端で可動接合部材３２により相互に結合されている。また、可動接合部材３２により第２の筐体３１が第１の筐体３０に対して開閉可能、かつ第２の筐体３１の中心線を回転軸として第１の筐体３０に対して回動自在に結合され、液晶表示器２０を外側にして折り畳むことができる。なお、図２（ａ）に示す第２の筐体３１は、液晶表示器２０が設けられた面を外側にして、第１の筐体３０に対して閉じられた状態にあるものとする。
【００４７】
また、折り畳み型携帯電話機の状態は、可動接合部材３２側の第１の筐体３０の可動接合端３３が水平線４３からの距離３７ａの高さの位置にあり、右側の第１の筐体３０の先端部３５が水平線４３からの距離３８ａの高さの位置にあることを示している。
【００４８】
図２（ａ）の上側には、第２の筐体３１の、液晶表示器２０が設けられた面を真上から見た図が示されている。なお、第２の筐体３１の液晶表示器２０には、左側の可動接合端３４側から液晶表示器２０に表示される画像内容の文字が読めるように、画像表示の向き，すなわち画像表示の天地を設定した画像が表示されている。
【００４９】
次に、図２（ｂ）を説明する。
【００５０】
図２（ｂ）の下側の図には、図２（ａ）の場合と同様に、可動接合部材３２を左側にして第１の筐体３０と第２の筐体３１とが折り畳まれて閉じた状態にある折り畳み型携帯電話機の側面図が示されている。しかし、図２（ｂ）の折り畳み型携帯電話機の状態は、図２（ａ）の場合と折り畳み型携帯電話機の長手方向の傾き方が逆になっている。そして、可動接合部材３２側の第１の筐体３０の可動接合端３３が水平線４３からの距離３７ｂの高さの位置にあり、右側の第１の筐体３０の先端部３５が水平線４３からの距離３８ｂの高さの位置にあることを示している。
【００５１】
また、図２（ｂ）の上側にも、図２（ａ）の場合と同様に、第２の筐体３１の、液晶表示器２０が設けられた表示面を真上から見た図が示されている。しかし、第２の筐体３１の液晶表示器２０には、右側の第２の筐体３１の先端部３６側から液晶表示器２０に表示される画像内容の文字が読めるように画像表示の天地が設定された画像が表示されている。
【００５２】
すなわち、図２（ａ）の状態から図２（ｂ）の状態にかわったとき、折り畳み型携帯電話機の長手方向３９の傾きが逆になることで、液晶表示器２０の画像表示の天地の向きが、制御部１３ａによって表示制御回路１９を介し１８０度逆転するように制御される。
【００５３】
このように、図２（ａ）の場合は、携帯型電子機器のユーザーが表示内容を図面の左手方向から見られるように、制御部１３ａによって表示制御回路１９を介して画像表示の天地の向きが決定される。また、図２（ｂ）の場合は、携帯型電子機器のユーザーが表示内容を図面の右手方向から見られるように、制御部１３ａによって表示制御回路１９を介して画像表示の天地の向きが決定される。
【００５４】
上述したように、液晶表示器２０の画像表示の天地を１８０度転換した状態に切り替えるためには、折り畳み型携帯電話機の傾きを、水平になる状態を通り越してそれまでの傾きと反対の傾きの状態にするという簡単な操作だけを行えばよい。すなわち、折り畳み型携帯電話機の傾きの向きを、図２（ａ）が示す傾きから図２（ｂ）が示す傾きに変えたり、またその逆の操作を行うというように、折り畳み型携帯電話機の傾きを変える操作を行うだけでよい。
【００５５】
次に、図１〜図３を参照して、折り畳み型携帯電話機の長手方向３９の傾きの向きを変えたときの動作の流れを説明する。
【００５６】
図３は、図１の折り畳み型携帯電話機における画像表示の天地の向きの切り替えを行う動作の流れを示すフローチャートである。
【００５７】
図３は、情報を表示した状態で液晶表示器２０を外側にして折り畳まれた折り畳み型携帯電話機の傾き状態に応じて、表示方向の向き、すなわち画像表示の天地の向きを切り替える折り畳み型携帯電話機の動作の流れを示している。ユーザーによって行われる、このときの折り畳み型携帯電話機の傾き操作は、液晶表示器２０の表示方向の向きを切り替えるというユーザーの意図の元に行われる。
【００５８】
図３を参照すると、折り畳み型携帯電話機は、電源の投入によって液晶表示器２０に画像情報を表示する。液晶表示器２０に画像情報が表示されている状態で（Ｓ１）、制御回路１３ａは、予め定められた時間間隔で連続的に、開閉状態検出回路１７の出力を調べて、第２の筐体３１の、液晶表示器２０が設けられている表示面が外側に向いた状態で閉じられたか否かのチェックを行う（Ｓ２）。なお、図３に記載の、「Ｓ」は「ステップ」を示す表記である。
【００５９】
制御回路１３ａは上記ステップ２で、液晶表示器２０が設けられている第２の筐体３１の第２の面が外側に向いた状態で閉じられたと判定したとき、傾き状態検出回路１８ａの出力を調べる。このとき制御回路１３ａは傾き状態検出回路１８ａから出力される傾き状態検出信号を「有効」として扱うように指示する情報がＲＡＭ１５に設定されているか否かを調べる（Ｓ３）。なお、傾き状態検出信号を「有効」として扱うように指示する情報は、予め折り畳み型携帯電話機のユーザーによって設定されているものとする。
【００６０】
制御回路１３ａはステップ３で「有効」として扱うように指示する情報がＲＡＭ１５に設定されていたときに、傾き状態検出回路１８ａを起動する。傾き状態検出回路１８ａは予め定められた時間間隔で動作し、折り畳み型携帯電話機の傾き状態を検出する。また制御回路１３ａは、予め定められた時間間隔で傾き状態検出回路１８ａから出力される傾き状態検出信号を調べる。制御回路１３ａは、傾き状態検出信号から折り畳み型携帯電話機の傾き状態を示すデータを抽出する（Ｓ４）。
【００６１】
傾き状態検出回路１８ａから出力される傾き状態検出信号を調べた制御回路１３ａは、抽出されたデータから折り畳み型携帯電話機の傾き状態を調べる対象方向の、対向する２辺の高低を調べる。この対向する２辺の高低が前回抽出されたデータを調べて得られた高低と逆転していたときは、制御回路１３ａは、折り畳み型携帯電話機の傾きの向きが前回の傾き状態と異なるものと判定する。そして、傾きの向きが前回の傾き状態と異なるときには、制御回路１３ａは、さらに次の傾き状態検出信号を調べ、連続して同じ傾き状態を示すデータを得られるか調べる。
【００６２】
すなわち、傾き状態検出回路１８ａが、図２（ａ）の下部の図のような折り畳み型携帯電話機の傾き状態を検出し後、次のときは図２（ｂ）の下部の図のような傾き状態を検出したときは、前回の傾きの変化は一時的な傾きであったものと判定する。また、傾き状態検出回路１８ａが、最初、図２（ｂ）の下部の図の状態を検出した後、図２（ａ）の下部の図の状態を検出し、さらに、次も続いて図２（ａ）の下部の図の状態を連続して検出したときは、前回の傾きの変化は一時的な傾きではなかったものと判定する（Ｓ５）。
【００６３】
ステップ５において、傾きの変化が一時的な傾きであったものと判定したとき、制御部１３ａは、液晶表示器２０における表示方向の向きの制御を行わず、表示方向の向きはそのままとして、ステップ２に動作を戻す（Ｓ６）。
【００６４】
また、ステップ５において、傾きの変化は一時的な傾きではないものと判定したとき、制御部１３ａは、液晶表示器２０における表示方向の向きの制御を行う。制御部１３ａは、液晶表示器２０の表示方向の向きを、そのときのデータが示す折り畳み型携帯電話機の傾きに対応した表示方向の向きとなるように制御し、ステップ２に動作を戻す（Ｓ７）。
【００６５】
なお、ステップ２で、液晶表示器２０が設けられている面が外側に向いた状態で閉じられていないと制御回路１３ａが判定したとき、動作の流れは再度ステップ２の動作に戻る。
【００６６】
また、ステップ３で、傾き状態検出信号を「有効」として扱うように指示する情報がＲＡＭ１５に設定されていないことを制御回路１３ａが認識したとき、動作の流れは再度ステップ２の動作に戻る。
【００６７】
以上で、第１の実施例の場合についての説明を終了する。
【実施例２】
【００６８】
次に、本発明の第２の実施例について説明する。
【００６９】
第１の実施例の場合は、傾き状態検出回路１８ａによって、図２（ａ）に示す長手方向３９の傾き状態を検出するのみである。しかし、第２の実施例の場合は、長手方向３９の傾き状態を検出する傾き状態検出回路１８ａの他に、幅方向４０の傾き状態を検出する傾き状態検出回路１８ｂを有し、長手方向３９と幅方向４０との２方向の傾き状態を検出することができる。この２方向の傾き状態を検出することができる点が第１の実施例の場合と異なる。
【００７０】
図４は、本発明の第２の実施例における携帯型電子機器の具体例としての折り畳み型携帯電話機の構成を示すブロック図である。
【００７１】
図４に示す第２の実施例の折り畳み型携帯電話機は、上述したように、図１に示す第１の実施例の折り畳み型携帯電話機に対して傾き状態検出回路１８ｂが追加され、制御回路１３ａの代わりに制御回路１３ｂが設けられている。なお、傾き状態検出回路１８ｂ及び制御回路１３ｂの基本的機能は傾き状態検出回路１８ａ及び制御回路１３ａとそれぞれ同様である。
【００７２】
制御回路１３ｂは、図１の制御回路１３ａと同様に、予め定められた時間間隔で連続的に、開閉状態検出回路１７の出力を調べて、第２の筐体３１の、液晶表示器２０が設けられている表示面が外側に向いた状態で閉じられたか否かのチェックを行う。制御回路１３ｂは、液晶表示器２０が設けられている表示面が外側に向いた状態で閉じられたと判定したとき、傾き状態検出回路１８ａ及び傾き状態検出回路１８ｂの出力を調べる。このとき制御回路１３ｂは傾き状態検出回路１８ａ及び傾き状態検出回路１８ｂから出力される傾き状態検出信号を「有効」として扱うように指示する情報がＲＡＭ１５に設定されているか否かを調べる。そして、制御回路１３ｂは、傾き状態検出回路１８ａ及び傾き状態検出回路１８ｂからの傾き状態検出信号から、折り畳み型携帯電話機の傾き状態を示すデータを抽出する。制御回路１３ｂは、傾き状態検出回路１８ａ及び傾き状態検出回路１８ｂそれぞれの検出結果に基づいて液晶表示器２０の表示方向の天地の向きの切り替え制御を行うことができる。
【００７３】
制御回路１３ｂは、傾き状態検出回路１８ａからの、長手方向３９の傾き状態の検出結果に基づいて、表示方向の向きの切り替え方向として、０度と１８０度の表示方向の向き制御を行うことができる。すなわち、図２（ａ）の場合の天地の向きは、可動接合部材３２側が「地」であり、反対側が「天」であるが、可動接合部材３２側の「地」の方向を「０度」の方向とすると、反対側の「天」の方向は、「１８０度」の方向となる。従って、傾き状態検出回路１８ａからの長手方向３９の傾き状態の検出結果に基づいて、「０度」の方向と「１８０度」の方向との表示方向の切り替え制御を行うことができることになる。同様に、傾き状態検出回路１８ｂからの幅方向４０の傾き状態の検出結果に基づいて、「９０度」の方向と「２７０度」の方向との表示方向の切り替え制御を行うことができる。
【００７４】
なお、長手方向３９の傾き状態の検出結果に基づく表示方向の向き制御と、幅方向４０の傾き状態の検出結果に基づく表示方向の向き制御との競合を避けるため、予めどちらの制御を行うかの設定を行う手段が制御部１３ｂに内蔵される。このような手段により、ユーザーが予め長手方向３９の傾き状態の検出結果に基づく表示方向の向き制御を選択しておけば、ユーザーは折り畳み型携帯電話機の長手方向３９の傾き状態の制御により、「０度」及び「１８０度」の表示方向のみの切り替え制御を容易に行うことができる。
【００７５】
同様に、ユーザーは、予め幅方向４０の傾き状態の検出結果に基づく表示方向の向き制御を選択しておけば、折り畳み型携帯電話機の幅方向４０の傾き状態の制御により、「９０度」及び「２７０度」の表示方向のみの切り替え制御を容易に行うことができる。
【００７６】
上記の使用方法は、長手方向３９の傾き状態の検出結果に基づく表示方向の向き制御と、幅方向４０の傾き状態の検出結果に基づく表示方向の向き制御との選択を行って、一時的にはいずれか一方の制御のみを行わせる使用方法である。
【００７７】
しかし、最初に折り畳み型携帯電話機の長手方向３９を縦にして液晶表示器２０の表示を見た後、直ちに長手方向３９を横にして液晶表示器２０の表示を見る必要があるときなどの場合には、上記の両方の制御の動作の優先順位を自動的に切り替える必要がある。このための切り替え手段も制御部１３ｂに内蔵される。この場合は、制御部１３ｂが、長手方向３９の傾き状態と幅方向４０の傾き状態のうちの、傾きの傾斜の値がより大きい値を示しているデータを出力してきた方の制御を優先させる。従って、折り畳み型携帯電話機の長手方向３９を縦にして液晶表示器２０の表示を見ていた後、長手方向３９を横にして幅方向４０の傾きの傾斜を急な傾斜にすれば、長手方向３９が多少左右に傾斜していても、長手方向３９を横にして表示を見ることができる。
【００７８】
なお、制御回路１３ｂも、傾き状態検出回路１８ａ，１８ｂからの傾き状態検出信号から得られた傾き状態を示すデータが、一時的なデータであるか否かを確認するため、予め定められた一定の時間の間、ＲＡＭ１５に保持するように構成される。
【００７９】
以上で、第２の実施例の場合についての説明を終了する。
【００８０】
なお、上記の説明で、傾き状態検出回路１８ａ及び傾き状態検出回路１８ｂの検出結果を有効とするか否かを示す情報のＲＡＭ１５への設定を説明したが、この情報をＲＡＭ１５に設定するための選択設定手段は制御回路１３ａ及び制御回路１３ｂに内蔵される。そして、制御回路１３ａ及び制御回路１３ｂは上記選択設定手段で有効性が設定された場合のみ画像表示の天地の向きの制御を行うように構成される。
【００８１】
また、上記の説明で、折り畳み型携帯電話機の傾き状態を示すデータが、一時的な傾きを示すデータであるか否かを確認するため、一定の時間の間、ＲＡＭ１５に保持することで説明したが、この時間を設定する設定手段は、制御部１３ａ，１３ｂに内蔵される。
【００８２】
また、上記の説明では、第１の筐体と第２の筐体との開閉状態を検出する手段として、開閉状態検出回路１７を用いることで説明しているが、上記手段として、磁気センサーが用いられる。折り畳み型携帯電話機のマイクの左側または右側の近傍に磁石を設ける。液晶表示部が外向きになって閉じている状態では、磁石の位置が反対側になるので、液晶表示器２０が外向きになって閉じている状態を検出できる。従って、磁気センサーを用いて構成される開閉状態検出回路１７によって、第１の筐体と第２の筐体とが閉じた状態を検出できるとともに、液晶表示器２０が外向きになって閉じている状態を検出することができる。なお、折り畳み型携帯電話機等の携帯型電子機器に開閉検出用センサーとして用いられる磁気センサーの技術については周知技術であるので、詳細説明は省略する。
【００８３】
また、上記の説明では、傾き状態検出回路として加速度センサーを用いることで説明したが、加速度センサーの技術についても周知技術であるので、詳細説明は省略する。
【００８４】
また、上記の説明では、表示器として液晶表示器２０が一つの場合について説明したが、複数個の表示器があってもよい。例えば液晶表示器２０が設けられた面の裏面にもう一つ第２の表示器を設けて二つある場合であってもよい。上記のように液晶表示器２０の裏面側に上記第２の表示器がある場合も、液晶表示器２０の場合に行われる画像表示の天地の向きの制御を行うことができる。すなわち、上記第２の表示器は、液晶表示器２０の裏面側にあるので、液晶表示器２０が内側に向けて閉じられているときは、外向きになっている第２の表示器に対して、液晶表示器２０に対する、画像表示の天地の向きの制御の場合と同様な制御を行うことができる。
【００８５】
また、上記の説明では、携帯型電子機器の具体例としての折り畳み型携帯電話機の場合について説明したが、本発明は、折り畳み型携帯電話機にかぎらず、カメラ及びＰＤＡ（ＰＤＡ：Ｐｅｒｓｏｎａｌ  Ｄｉｇｉｔａｌ  Ａｓｓｉｓｔａｎｔｓ）等、画像表示器を有する各種携帯型電子機器についても適用することができる。例えば、カメラの場合は、カメラのファインダーを、横長から縦長に切り替えたり、その逆に縦長から横長に切り替えたりすることができる。場合によっては、横長または縦長のファインダーの天地を逆にして撮影することもできる。
【００８６】
また、上記の説明では、折り畳み型携帯電話機のような、開閉可能で、かつ表示器の付いている筐体が操作部を有する筐体に対して回動自在に接合された携帯型電子機器の場合について説明した。しかし、表示器を有する、携帯型電子機器に対して表示器の傾き状態を検出する上記傾き状態検出回路及び制御回路を設け、この傾き状態検出手段の検出結果に基づいて表示器の画像表示における天地の向きの制御を行うようにすることもできる。このように構成することにより、携帯型電子機器を保持するユーザーが必要に応じて自分で表示を見たり、他者に表示器を向けて表示内容を容易に見せることができるという有用な携帯型電子機器を得ることができる。
【図面の簡単な説明】
【００８７】
【図１】本発明の第１の実施例における携帯型電子機器の具体例としての折り畳み型携帯電話機の回路構成を示すブロック図である。
【図２】図１の折り畳み型携帯電話機が折り畳まれて長手方向に傾けられた状態を表す側面図とその状態での画像表示の向きの状態を示す模式図である。
【図３】図１の折り畳み型携帯電話機における画像表示の天地の向きの切り替えを行う動作の流れを示すフローチャートである。
【図４】本発明の第２の実施例における携帯型電子機器の具体例としての折り畳み型携帯電話機の構成を示すブロック図である。
【符号の説明】
【００８８】
１１    アンテナ
１２    無線回路
１３ａ，１３ｂ    制御回路
１４    キーマトリックス
１５    ＲＡＭ
１６    ＲＯＭ
１７    開閉状態検出回路
１８ａ，１８ｂ    傾き状態検出回路
１９    表示制御回路
２０    液晶表示器
３０    第１の筐体
３１    第２の筐体
３２    可動接合部材
３３    可動接合端
３４    可動接合端
３５，３６    先端部
３７ａ，３７ｂ    距離
３８ａ，３８ｂ    距離
３９    長手方向
４０    幅方向
４３    水平線
【図１】
2005277452.tif 000003
【図２】
2005277452.tif 000004
【図３】
2005277452.tif 000005
【図４】
2005277452.tif 000006